(57)【要約】【課題】  ポケットティッシュを収納したままにおいてティッシュを引き出すことができるインナーポーチを提供する。【解決手段】バッグ内に収納使用されるインナーポーチにおいて、ポケットティッシュを収納し、かつ、そのティッシュを引き出し可能とするポケットティッシュ収納部９を備えることを特徴とするインナーポーチ。【選択図】図１
0003159700.tif 000002
【実用新案登録請求の範囲】
【請求項１】
バッグ内に収納使用されるインナーポーチにおいて、
ポケットティッシュを収納し、かつ、そのティッシュを引き出し可能とするティッシュ収納部を備えることを特徴とするインナーポーチ。
【請求項２】
両端位置に該インナーポーチを前記バックに連結するための連結ひもを備え、かつ、その連結ひもの端部どうしが互いに連結され該インナーポーチの持ち手とされる請求項１記載のインナーポーチ。
【請求項３】
ケーブル引き出しリールを備え、そのケーブル引き出しリールからのケーブル端に物品の係止部を備えることを特徴とする請求項１または２記載のインナーポーチ。
【考案の詳細な説明】
【技術分野】
【０００１】  この考案は、各種バッグ内に収納使用されるインナーポーチの改良に関する。
【背景技術】
【０００２】  最近では、各種バックにおいてインナーポーチが汎用されている。このインナーポーチはバッグ内に小物品を整理して収納でき、また、全体を取り出して物品の取り出し、収納ができるので、非常に便利に使用される。
【考案の概要】
【考案が解決しようとする課題】
【０００３】  しかしながら現状のインナーポーチの場合、ポケットティッシュを収納できるものの使用に際してはそれを一度取り出さなければティッシュを引き出すことができず、不便な点があった。【０００４】  この考案は上記の点に鑑みて行ったもので、ポケットティッシュを収納したままにおいてティッシュを引き出すことができるインナーポーチを提供することを目的とする。
【課題を解決するための手段】
【０００５】  この考案では、バッグ内に収納使用されるインナーポーチにおいて、ポケットティッシュを収納し、かつ、そのティッシュを引き出し可能とするポケットティッシュ収納部を備えることを特徴とするインナーポーチを提供する。【０００６】  上記構成のインナーポーチによれば、ティッシュを引き出し可能とするポケットティッシュ収納部を備えることで、インナーポーチからポケットティッシュを取り出すことなくティッシュを引き出すことができる。【０００７】  上記構成において、両端位置にインナーポーチをバッグに連結するための連結ひもを備え、かつ、その連結ひもの端部どうしが互いに連結されインナーポーチの持ち手とされる構成とすることで、バック内より取り出した状態でのインナーポーチの持ち運びがその持ち手を持つことで行える。さらに、ケーブル引き出しリールを備え、そのケーブル引き出しリールからのケーブル端に物品の係止具を備える構成とすることで、係止具に適宜所望の物品を係止して使用できる。
【考案の効果】
【０００８】  この考案のインナーポーチは、ポケットティッシュを取り出すことなくティッシュを引き出すことができるので便利に使用でき、実用性に優れる。
【図面の簡単な説明】
【０００９】
【図１】  この考案のインナーポーチの実施形態の外観斜視図
【図２】  この考案のインナーポーチの実施形態の要部断面図
【図３】  この考案のインナーポーチの実施形態の使用形態の外観斜視図
【図４】  この考案のインナーポーチの実施形態の使用形態の外観斜視図
【図５】  この考案のインナーポーチの実施形態のバッグへの収納形態の外観斜視図
【考案を実施するための形態】
【００１０】  図１はこの考案のインナーポーチの実施形態の外観斜視図である。インナーポーチ１は全体が布製で、前側部２と後側部３との間を主収納部４とし、前側部２の前面に３個の副収納部５、６、７のそれぞれを備えている。
【００１１】  右端の副収納部７は、図２に示すように、前後に二重構成となっており、その前側がポケットティッシュ収納部９とされている。ポケットティッシュ収納部９の前面には布片１１、１１が重ね状態とされたティッシュの取り出し口１３が形成され、これによりポケットティッシュ収納部９内に収納されたポケットティッシュからその取り出し開口１３を介して直接にティッシュが取り出すことができるようになっている。副収納部５、６は携帯電話機等が納められ、副収納部７の後側の収納部１５は定期券ケース等が納められて使用される。
【００１２】  ２０はケーブル引き出しリールであり、内部よりケーブル（図に現れない）が引き出せ、かつ、内部に弾力的にケーブルが巻き込まれるようになっており、前側部２の一方側の上部に吊り下げ状態に取り付けられている。そのケーブル引き出しリール２０から引き出されるケーブル端２２には物品の係止具２３が取り付けられ、この係止具２３には適宜の物品が係止されることで取り付けでき、その物品はケーブル引き出しリール２０に近い収納部１５に納められる。例えばその物品が上記した定期券ケースである場合には、このインナーポーチ１が収納されるバッグ内からケーブル端２２に連結された状態において定期券ケースが手に持たれ引き出され、改札機にかざされるように使用される。定期券ケースはケーブル引き出しリール２０のケーブルに連結されていることでその紛失が確実に回避される。また、係止具２３に自転車のキーを係止して用いてもよく、その場合も、キーを係止具２３から取り外すことなく自転車においてその操作が行える。
【００１３】  ３０、３１のそれぞれはインナーポーチ１をバックに連結するための連結ひもであり、一方の連結ひも３０の基部には雌ホック３２が、端部には雄ホック３３が取り付けられており、他方の連結ひも３１の基部には雄ホック３３が、端部には雌ホック３２が取り付けられている。このような構成により連結ひも３０、３１それぞれは雌ホック３２に雄ホック３３を連結することで、図３に示すように、環状とでき、これにより、図５に示すように、その環状部のそれぞれをバッグＢの持ち手部４０に係止することができる。このように、連結ひも３０、３１が持ち手部４０に係止連結されることで、インナーポーチ１はバッグＢ内の上部の中央位置に位置決めされ、かつ、安定した状態に収納される。これにより、バッグＢ内は常に整頓された状態となるとともに、インナーポーチ１からの物品の取り出しも容易に行われる。
【００１４】  連結ひも３０、３１はその端部それぞれの雌ホック３２と雄ホック３３とを互いに連結することで、図４に示すように、連続一体とでき、インナーポーチ１自身の持ち手５０とすることができる。これによりバックＢ内より取り出した状態でのインナーポーチ１の持ち運びがその持ち手５０を持つことで容易になされる。
【符号の説明】
【００１５】１    インナーポーチ
９    ティッシュ収納部
２０  ケーブル引き出しリール
２３  係止具
３０  連結ひも
３１  連結ひも
４０  持ち手
Ｂ    バッグ
【図１】
0003159700.tif 000003
【図２】
0003159700.tif 000004
【図３】
0003159700.tif 000005
【図４】
0003159700.tif 000006
【図５】
0003159700.tif 000007
【手続補正書】
【提出日】平成22年3月1日(2010.3.1)
【手続補正１】
【補正対象書類名】実用新案登録請求の範囲
【補正対象項目名】全文
【補正方法】変更
【補正の内容】
【実用新案登録請求の範囲】
【請求項１】
バッグ内に収納使用されるインナーポーチにおいて、
ポケットティッシュを収納し、かつ、そのティッシュを引き出し可能とするティッシュ収納部を備えることを特徴とするインナーポーチ。
【請求項２】
両端位置に該インナーポーチを前記バッグに連結するための連結ひもを備え、かつ、その連結ひもの端部どうしが互いに連結され該インナーポーチの持ち手とされる請求項１記載のインナーポーチ。
【請求項３】
ケーブル引き出しリールを備え、そのケーブル引き出しリールからのケーブル端に物品の係止部を備えることを特徴とする請求項１または２記載のインナーポーチ。